(57)【特許請求の範囲】
【請求項１】
無線周波数信号を受信する複数のアンテナと、
正弦波信号を出力する一つの発信器と、
前記複数のアンテナの各アンテナで受信した前記無線周波数信号と前記発信器の出力信号とに基づいて前記無線周波数信号の周波数を変換して中間周波数信号を出力する複数の受信周波数変換部と、
前記複数の受信周波数変換部から出力された複数の中間周波数信号をそれぞれデジタル信号に変換して出力するＡＤ変換部と、
前記ＡＤ変換部の出力信号を同時に記録する記録部とを備えた無線周波数信号記録部と、
前記記録部に記録された前記ＡＤ変換部の前記出力信号を再生して出力する再生部と、
前記再生部の出力信号をアナログ信号に変換し、前記複数の中間周波数信号を出力するＤＡ変換部と、
前記複数の中間周波数信号の各中間周波数信号と前記発信器の前記出力信号とに基づいて前記中間周波数信号の周波数を変換して出力する複数の再生周波数変換部とを備えた無線周波数信号再生部とを備えたことを特徴とする無線周波数信号記録再生装置。
【請求項２】
複数のアンテナで受信された無線周波数信号がそれぞれ中間周波数信号に変換された後デジタル信号に変換されて同時に記録された記録部と、
前記記録部に記録された前記デジタル信号を再生して出力する再生部と、
前記再生部の出力信号をアナログ信号に変換し、複数の中間周波数信号を出力するＤＡ変換部と、
正弦波信号を出力する一つの発信器と、
前記複数の中間周波数信号の各中間周波数信号と前記発信器の出力信号とに基づいて前記中間周波数信号の周波数を変換して出力する複数の再生周波数変換部とを備えた無線周波数信号再生部を備えたことを特徴とする無線周波数信号記録再生装置。
【発明の詳細な説明】
【技術分野】
【０００１】
本発明は、無線周波数信号記録再生装置に関するものである。
【背景技術】
【０００２】
一般に、車両用のラジオ等の無線周波数信号受信機を開発する場合には、実走行時の無線周波数信号を記録装置に記録し、実験室内において記録した無線周波数信号を再生して走行時の電波環境を再現することで、繰り返し走行実験を行わずに実験室内で効率よく実験を行うことができる。このような実験を行うために、無線周波数信号受信機が利用される実環境で無線周波数信号を受信記録し、記録した無線周波数信号を実験室内で再生して、実環境の電波環境を再現する無線周波数信号記録再生装置が提案されている（特許文献１）。
【特許文献１】特開平１１−１８３５４４号公報
【発明の開示】
【発明が解決しようとする課題】
【０００３】
ところで、車両用のラジオのアンテナは通常ダイバーシティ方式が用いられており、複数のアンテナから無線周波数信号を受信して、受信強度が最大になる無線周波数信号を選択する（選択ダイバーシティ）か、複数のアンテナで受信した無線周波数信号を合成する（合成ダイバーシティ）ことで、より良い感度を得るようになっている。このようなダイバーシティアンテナを備えたラジオの性能実験を走行時の電波環境を再現して実験室内で行う場合は、実走行時に複数のアンテナで受信した無線周波数信号を同時に記録し、実験室内で同時に再生する必要がある。
【０００４】
ここで、記録した複数の無線周波数信号はもともと同一の信号であるため、同時に記録した複数の無線周波数信号を同時に再生する際は、記録時にそれぞれの無線周波数信号の位相を揃えて記録し、再生時にも位相をそろえて再生する必要がある。このため、単純に各アンテナで受信した無線周波数信号をそれぞれ独立して同時に記録再生するだけでは、再生時に適切な無線周波数信号の再生を行うことが出来ない。
【０００５】
本発明の課題は、複数の無線周波数信号を同時に記録するとともに、記録した無線周波数信号を適切に再生する無線周波数信号記録再生装置を提供することにある。
【課題を解決するための手段】
【０００６】
上記課題を解決するために、請求項１に記載の発明は、無線周波数信号を同時に受信する複数のアンテナと、正弦波信号を出力する一つの発信器と、前記複数のアンテナの各アンテナで受信した前記無線周波数信号と前記発信器の出力信号とに基づいて前記無線周波数信号の周波数を変換して中間周波数信号を出力する複数の受信周波数変換部と、前記複数の受信周波数変換部から出力された複数の中間周波数信号をそれぞれデジタル信号に変換して出力するＡＤ変換部と、前記ＡＤ変換部の出力信号を記録する記録部とを備えた無線周波数信号記録部と、前記記録部に記録された前記ＡＤ変換部の前記出力信号を再生して出力する再生部と、前記再生部の出力信号をアナログ信号に変換し、前記複数の中間周波数信号を出力するＤＡ変換部と、前記複数の中間周波数信号の各中間周波数信号と前記発信器の前記出力信号とに基づいて前記中間周波数信号の周波数を変換して出力する複数の再生周波数変換部とを備えた無線周波数信号再生部とを備えたことを特徴としている。
【０００７】
上記構成によれば、複数のアンテナで同時に受信した無線周波数信号を、位相を合わせて記録再生することができる。
【０００８】
また請求項２に記載の発明は、無線周波数信号を同時に受信する複数のアンテナと、正弦波信号を出力する一つの発信器と、前記複数のアンテナの各アンテナで受信した前記無線周波数信号と前記発信器の出力信号とに基づいて前記無線周波数信号の周波数を変換して中間周波数信号を出力する複数の受信周波数変換部と、前記複数の受信周波数変換部から出力された複数の中間周波数信号をそれぞれデジタル信号に変換して出力するＡＤ変換部と、前記ＡＤ変換部の出力信号を記録する記録部とを備えた無線周波数信号記録部を備えたことを特徴としている。
【０００９】
上記構成によれば、複数のアンテナで同時に受信した無線周波数信号を、位相を合わせて記録することができる。
【００１０】
また請求項３に記載の発明は、複数のアンテナで同時に受信された無線周波数信号がそれぞれ中間周波数信号に変換された後デジタル信号に変換されて記録された記録部と、前記記録部に記録された前記デジタル信号を再生して出力する再生部と、前記再生部の出力信号をアナログ信号に変換し、複数の中間周波数信号を出力するＤＡ変換部と、正弦波信号を出力する一つの発信器と、前記複数の中間周波数信号の各中間周波数信号と前記発信器の出力信号とに基づいて前記中間周波数信号の周波数を変換して出力する複数の再生周波数変換部とを備えた無線周波数信号再生部を備えたことを特徴としている。
【００１１】
上記構成によれば、複数のアンテナで同時に受信して記録した無線周波数信号を、位相を合わせて再生することができる。
【発明の効果】
【００１２】
本発明によれば、複数の無線周波数信号を同時に記録するとともに、記録した無線周波数信号を適切に再生する無線周波数信号記録再生装置を提供することができる。
【発明を実施するための最良の形態】
【００１３】
以下、本発明の実施例を図面に従って説明する。
【実施例】
【００１４】
図１は本発明の実施例のブロック図を示す。本実施例では、２つのアンテナを備えたダイバーシティアンテナを有するラジオの受信性能の実験のために、２つのアンテナで受信した無線周波数信号を同時に記録し、また記録した無線周波数信号を同時に再生する例の説明を行う。
【００１５】
まず、２つの無線周波数信号を同時に記録する無線周波数信号記録部１００の構成と動作の説明を行う。
【００１６】
図２に、図１のブロック図から無線周波数信号記録部１００のブロック図を抽出した図を示す。
【００１７】
アンテナ１１１、１１２で受信された無線周波数信号（Ｒａｄｉｏ Ｆｒｅｑｕｅｎｃｙ信号、以降ＲＦ信号と呼ぶ）はそれぞれ受信周波数変換部（いわゆるダウンコンバータ）１２１、１２２に入力される。
【００１８】
受信周波数変換部１２１、１２２には、所定の周波数の正弦波信号を出力する発信器３１０（いわゆる局部発信器）の出力信号が入力される（信号経路は図１、図２の１５１）。
【００１９】
受信周波数変換部１２１、１２２では、入力されたＲＦ信号と発信器３１０の出力信号とが合成されて受信周波数変換部１２１、１２２内に設けられた周波数フィルタ（図示省略）を通過し、受信された無線周波数信号が一般に中間周波数信号（ＩＦ信号）と呼ばれる低い周波数信号に変換される、いわゆる無線周波数信号のダウンコンバートが行われる。
【００２０】
受信周波数変換部１２１、１２２は、ダウンコンバートしたＩＦ信号をＡＤ変換部１３０に出力する（信号経路は図１、図２の１５２、１５３）。
【００２１】
ＡＤ変換部１３０では取り込んだ２つのＩＦ信号を所定のサンプリング周波数でそれぞれサンプリングし、デジタル信号に変換する。ＡＤ変換部１３０はデジタル信号に変換した複数のＩＦ信号を記録再生部３２０に出力する（信号経路は図１、図２の１５４）。
【００２２】
記録再生部３２０は、ＡＤ変換部１３０を制御し（信号経路は図１、図２の１５５）、ＡＤ変換部１３０の出力信号、すなわちデジタル信号に変換した複数のＩＦ信号を内部に記録する。
【００２３】
以上の動作により、アンテナ１１１、１１２で同時に受信されたＲＦ信号が受信周波数変換部１２１、１２２でそれぞれＩＦ信号にダウンコンバートされ、ＡＤ変換部１３０でデジタル信号に変換された後に記録再生部３２０で記録される。ここでＲＦ信号をＩＦ信号にダウンコンバートする際に一つの発信器３１０を用いて複数のＲＦ信号を同時にダウンコンバートしているため、ダウンコンバートされた複数のＩＦ信号の位相が一致した状態で記録再生部３２０に記録される。
【００２４】
次に、記録した無線周波数信号を再生する無線周波数信号再生部２００の構成と動作の説明を行う。
【００２５】
図３に、図１のブロック図から無線周波数信号再生部２００のブロック図を抽出した図を示す。
【００２６】
記録再生部３２０はＤＡ変換部２３０を制御し（信号経路は図１、図３の２５２）、デジタル信号に変換されて記録再生部３２０に記録された複数のＩＦ信号を、ＤＡ変換部２３０に出力する（信号経路は図１、図３の２５１）。
【００２７】
ＤＡ変換部２３０では、記録再生部３２０の出力信号、すなわちデジタル信号に変換された複数のＩＦ信号をアナログ信号に変換する。ＤＡ変換部２３０はアナログ信号に変換した複数のＩＦ信号を再生周波数変換部２２１、２２２にそれぞれ出力する（信号経路は図１、図３の２５３、２５４）。
【００２８】
再生周波数変換部２２１、２２２では、入力されたＩＦ信号と発信器３１０の出力信号とが合成されて再生周波数変換部２２１、２２２内に設けられた周波数フィルタ（図示省略）を通過し、ＩＦ信号がＲＦ信号に変換される、いわゆる無線周波数信号のアップコンバートが行われる。
【００２９】
再生周波数変換部２２１、２２２は、アップコンバートしたＲＦ信号を試験機４１０のアンテナ入力端子（図示省略）に出力する（信号経路は図１、図２の２５６、２５７）。
【００３０】
以上の動作により、デジタル信号に変換されて記録再生部３２０に記録された複数のＩＦ信号がＤＡ変換部２３０でアナログ信号に変換された後に再生周波数変換部２２１、２２２でＲＦ信号にアップコンバートされ、試験機４１０に同時に出力される。ここでＩＦ信号をＲＦ信号にアップコンバートする際に一つの発信器３１０を用いて複数のＩＦ信号を同時にアップコンバートしているため、アップコンバートされた複数のＲＦ信号の位相が一致した状態で試験機４１０に出力される。
【００３１】
なお、上記記録再生部３２０が、請求項の記録部および再生部にあたる。
【００３２】
以上のような動作を行うことで、複数のアンテナで同時に受信したＲＦ信号をＩＦ信号に周波数変換して記録することが可能となる。
【００３３】
また記録した複数のＩＦ信号をＲＦ信号に周波数変換して同時に再生することが可能となる。
【００３４】
また、複数のＲＦ信号をＩＦ信号にダウンコンバートする際に、一つの発信器３１０を用いて周波数変換を行っているため、変換した複数のＩＦ信号の位相を一致させることができる。このため、複数のアンテナ１１０で受信したＲＦ信号をＩＦ信号に周波数変換して記録再生部３２０で同時に記録する際、複数のＩＦ信号が位相ずれなく適切に記録される。また複数のＩＦ信号をＲＦ信号にアップコンバートする際に、一つの発信器３１０を用いて周波数変換を行っているため、変換した複数のＲＦ信号の位相を一致させることができる。このため、記録再生部３２０に記録された複数のＩＦ信号をＲＦ信号に周波数変換して試験機４１０に同時に出力する際、複数のＲＦ信号が位相ずれなく適切に出力され、走行時と同等の電波環境を再現することができる。
【００３５】
さらに、複数の受信周波数変換部１２０と複数の再生周波数変換部２２０に対し、一つの発信器を用いて周波数変換を行っている。このため、各受信周波数変換部１２０および各再生周波数変換部２２０にそれぞれ発信器を備え、各発信器間の同期をとることで位相を一致させる方法に比べ、回路規模を大幅に縮小することができ、装置の小型化とコストダウンを図ることができる。
【００３６】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００３７】
例えば、アンテナの数は本実施例で示した数に限定されるものではなく、より多くのアンテナ数に対応することが可能である。
【図面の簡単な説明】
【００３８】
【図１】本発明の実施例のブロック図である。
【図２】本発明の実施例の無線周波数信号記録部１００のブロック図である。
【図３】本発明の実施例の無線周波数信号再生部２００のブロック図である。
【符号の説明】
【００３９】
１００  無線周波数信号記録部
１１０  アンテナ
１１１、１１２  アンテナ
１２０  受信周波数変換部
１２１、１２２  受信周波数変換部
１３０  ＡＤ変換部
２００  無線周波数信号再生部
２２０  再生周波数変換部
２２１、２２２  再生周波数変換部
２３０  ＤＡ変換部
３１０  発振器
３２０  記録再生部
４１０  試験機
【図１】
0004515973.tif 000002
【図２】
0004515973.tif 000003
【図３】
0004515973.tif 000004